(57)【要約】【目的】システム規模の増大やシステム構成の変更に柔軟且つ容易に対応できるオンデマンド・システムを提供すること。【構成】オンデマンド・サービスサーバと、コネクション設定管理サーバを備え、オンデマンドでサービスを行うメディアデータの伝送に固定接続型コネクション機能のみを持つコネクション指向型のネットワーク装置を用い、制御データの伝送にはコネクションレス型のネットワークを用い、コネクション指向型のネットワーク装置は、コネクションレス型ネットワークを介してコネクション設定及び解除を行うインタフェースを備え、オンデマンド・サービスの要求の発生時に、オンデマンド・サービスサーバにコネクション設定を指示されたコネクション設定管理サーバがコネクションレス型のネットワークを介してコネクション指向型のネットワーク装置にコネクションの設定を行うよう構成する。【選択図】      図１
2004159060.tif 000002
【特許請求の範囲】
【請求項１】
メディア・サーバとクライアント端末間でオンデマンド・サービスを提供するオンデマンド・システムであって、
クライアント端末からのオンデマンド・サービスの受付及び管理を行うオンデマンド・サービスサーバと、サービスに必要なコネクション設定及び解除を行うコネクション設定管理サーバを備え、オンデマンドでサービスを行うメディアデータの伝送に固定接続型コネクション機能のみを持つコネクション指向型のネットワーク装置を用い、制御データの伝送にはコネクションレス型のネットワークを用い、前記コネクション指向型のネットワーク装置は、前記コネクションレス型ネットワークを介してコネクション設定及び解除を行うインタフェースを備え、オンデマンド・サービスの要求の発生時に、前記オンデマンド・サービスサーバにコネクション設定を指示された前記コネクション設定管理サーバがコネクションレス型のネットワークを介して前記コネクション指向型のネットワーク装置にコネクションの設定を行うよう構成したことを特徴とするオンデマンド・システム。
【請求項２】
前記コネクション指向型のネットワーク装置として、ＡＴＭ−ＨＵＢ装置を用いたことを特徴とする請求項１記載のオンデマンド・システム。
【請求項３】
前記コネクションレス型のネットワークとして、イーサネットを用いたことを特徴とする請求項１記載のオンデマンド・システム。
【発明の詳細な説明】
【０００１】
【発明の属する技術分野】
本発明は、ネットワーク上において、情報やサービスが要求された場合に直ちに利用が可能なオンデマンド・システムに関する。
【０００２】
【従来の技術】
オンデマンド・システムの代表的な例としてＶＯＤ（Ｖｉｄｅｏ  Ｏｎ  Ｄｅｍａｎｄ  ）システムが挙げられる。ＶＯＤシステムでは、本来、ＳＶＣ（Ｓｗｉｔｃｈｅｄ  Ｖｉｒｔｕａｌ  Ｃｏｎｎｅｃｔｉｏｎ：交換型ＶＣ）機能を持ったＡＴＭスイッチ装置を伝送路に用いて、サービスの要求があった場合にダイナミックにコネクションを設定・解除する必要がある。但し、ＡＴＭスイッチ装置は非常に高価であるため、システムの構築費用が高くなるという問題があった。
【０００３】
そこで、特開平１０−６５６９３号ではＰＶＣ（Ｐｅｒｍａｎｅｎｔ  Ｖｉｒｔｕａｌ  Ｃｏｎｎｅｃｔｉｏｎ：  固定接続型ＶＣ）機能のみを持つ安価なＡＴＭ−ＨＵＢ装置を用いて、ＶＯＤのためのダイナミック・ルーティング機能を実現する手法が提案されている。図１０に示すように、メディア・サーバ（ＶＯＤならば映像サーバ）とクライアント端末の他に、メディア・サーバとクライアント端末間のコネクションを設定するためのコネクション設定管理サーバを設置し、ＡＴＭ−ＨＵＢ装置にはコネクション設定管理サーバとクライアント端末との間をオンデマンドのチャネル指定のために予めコネクションをＰＶＣとして設定する。
【０００４】
コネクション設定管理サーバとＡＴＭ−ＨＵＢ装置のコントローラ間はＡＴＭコネクション→コマンド・インタフェース・アダプタ→コマンドインタフェースを介して接続する。
【０００５】
クライアント端末でサービス要求が発生すると、クライアント端末から送信要求するメディアのチャネル選択要求をコネクション設定管理サーバへ通知する。コネクション設定管理サーバは、コマンド・インタフェース・アダプタ→コマンドインタフェースを介してＡＴＭ−ＨＵＢ装置コントローラと接続されているので、コマンドベースでＡＴＭ−ＨＵＢ装置にクライアント端末と該当メディア・サーバとの間にコネクションの設定を要求する。
【０００６】
コネクションが設定されると、クライアント端末はこのコネクションを利用してメディア・サーバにメディア送信要求を出し、メディア・サーバはこのコネクションを利用して該当するメディアデータを送信する。
【０００７】
メディア送信サービス終了後は、クライアント端末からコネクション設定管理サーバに切断要求を出し、コネクション設定管理サーバはこれを受けて、コマンド・インタフェース・アダプタ→コマンドインタフェースを介して、ＡＴＭ−ＨＵＢ装置に該当コネクションの切断を要求する。
【０００８】
このようにして、ＳＶＣ機能を持たないＡＴＭ−ＨＵＢ装置とメディア・サーバ、クライアント端末の構成で、ダイナミック・ルーティング機能を持つオンデマンド・システムを実現している。
【０００９】
【発明が解決しようとする課題】
しかし、この方式では、システムの規模が大きくなり、クライアント端末の数が増加した場合、クライアント端末からコネクション設定管理サーバへのチャネル指定のために予め設定するＰＶＣの数がそれだけ増加する。更に、ＡＴＭ−ＨＵＢ装置を複数台用いる場合は、クライアント端末からコネクション設定管理サーバへのコネクション設定は複雑になる。従って、大規模なシステムでは、チャネル指定用のＰＶＣの設定を人手で行うには非常に面倒になる。
【００１０】
又、クライアント端末を接続するＡＴＭ−ＨＵＢ装置のポートを変更する場合には、コネクション設定管理サーバ内の端末接続情報の変更だけでなく、チャネル指定のためのＰＶＣの設定し直しも行う必要があり、システム構成の変更が容易でないという問題もある。
【００１１】
本発明は上記問題に鑑みてなされたもので、その目的とする処は、ＳＶＣ機能を持たないＡＴＭ−ＨＵＢ装置を用いたオンデマンド・システムにおいて、システム規模の増大やシステム構成の変更に柔軟且つ容易に対応できるオンデマンド・システムを提供することにある。
【００１２】
【課題を解決するための手段】
上記目的を達成するため、本発明では、メディア・サーバ及びクライアント端末にイーサネットインタフェースを備え、ＡＴＭ−ＨＵＢ装置にはイーサネットを介してＰＶＣの設定・解除が可能なＩ／Ｆを設ける。
【００１３】
メディア・サーバ、クライアント端末及びＡＴＭ−ＨＵＢ装置は前記イーサネットインタフェースを介してイーサネットに接続される。
【００１４】
前記イーサネットは制御信号の伝送に用い、ＡＴＭ−ＨＵＢ装置のＡＴＭネットワークはメディアデータのみを伝送するネットワークとして利用する。
【００１５】
前記イーサネット上には、クライアント端末からのサービス要求の受付、メディア・サーバへのメディア送信指示及び後述するコネクション設定管理サーバに対してコネクションの設定・解除の要求等の機能を持つ、オンデマンド・サービスサーバを設ける。
【００１６】
更に、前記イーサネット上には、前記オンデマンド・サービスサーバからの要求に従ってＡＴＭ−ＨＵＢ装置にコネクションの設定・解除を指示するコネクション設定管理サーバを設ける。このオンデマンド・サービスサーバには各端末やサーバがＡＴＭ−ＨＵＢ装置のどこに接続されているかＡＴＭ−ＨＵＢ装置間がどのように接続されているかといったシステムの接続情報を管理する接続情報管理テーブルを持つ。
【００１７】
このような構成にすることによって、制御信号をコネクションレス型の通信であるイーサネット上で行うことができ、システム規模が大きい場合やシステム運用後の構成変更にも容易に対応することができるようになる。又、メディア・サーバのＡＴＭ  Ｉ／Ｆは送信専用、クライアント端末のＡＴＭ  Ｉ／Ｆは受信専用として構成することができ、ハード実装の簡易化も期待できる。
【００１８】
【発明の実施の形態】
以下に本発明の実施の形態を添付図面に基づいて説明する。
【００１９】
＜実施の形態１＞
本実施の形態では、オンデマンドのサービスとして映像の配信を行うＶＯＤシステムを例に挙げる。
【００２０】
図１は本実施の形態の構成を示す図である。１０１はＰＶＣ設定機能のみを持ったＡＴＭ−ＨＵＢ装置であり、イーサネットを介してコネクションを設定・解除を行うコネクション設定Ｉ／Ｆを持つ。
【００２１】
１０２は映像サーバであり、配信要求に従ってＡＴＭ  Ｉ／Ｆで映像データを配信する機能を持つ。
【００２２】
１０３はクライアント端末であり、一般的なＰＣ（Ｐｅｒｓｏｎａｌ  Ｃｏｍｐｕｔｅｒ  ）にＡＴＭ  Ｉ／Ｆと映像のデコード機能を持たせたものやＶＯＤシステムの専用ＳＴＢ（Ｓｅｔ  Ｔｏｐ  Ｂｏｘ  ）等が考えられる。クライアント端末は、映像データを受信するＡＴＭ  Ｉ／Ｆと制御信号の送受を行うためのイーサネットＩ／Ｆを持つ。
【００２３】
１０４はイーサネットであり、一般に普及しているハブ装置やスイッチ装置で実現される。
【００２４】
１０５はオンデマンド・サービスサーバであり、クライアント端末１０３からの映像配信要求を受け付けて、映像サーバ１０２に対して映像データの配信を指示する機能、後述のコネクション設定管理サーバ１０６に対してＡＴＭ−ＨＵＢ装置１０１へのコネクション設定・解除の要求を行う機能を有する。
【００２５】
１０６はコネクション設定管理サーバであり、オンデマンド・サービスサーバ１０５からの要求に従ってＡＴＭ−ＨＵＢ装置１０１へのコネクション設定・解除を行う機能を有する。
【００２６】
ここで、説明を簡単化するために、図２に示すようなＡＴＭ−ＨＵＢ装置２台（１０１−１，１０１−２）、映像サーバ２台（１０２−１，１０２−２）、クライアント端末２台（１０３−１，１０３−２）のシステム構成を考える。
【００２７】
映像サーバ１０２−１はＡＴＭ−ＨＵＢ装置１０１−１のポート１に、映像サーバ１０２−２はＡＴＭ−ＨＵＢ装置１０１−２のポート１にそれぞれ接続されており、クライアント端末１０３−１はＡＴＭ−ＨＵＢ装置１０１−１のポート２に、クライアント端末１０３−２はＡＴＭ−ＨＵＢ装置１０１−２のポート２にそれぞれ接続されている。
【００２８】
又、ＡＴＭ−ＨＵＢ装置１０１−１のポート３とＡＴＭ−ＨＵＢ装置１０１−２のポート３同士が接続されている。
【００２９】
コネクション設定管理サーバ１０６には、各クライアント端末やサーバがＡＴＭ−ＨＵＢ装置のどこに接続されているかやＡＴＭ−ＨＵＢ装置間がどのように接続されているかといったシステムの接続情報を管理する接続情報管理テーブルを持つが、本実施の形態の場合は図３のようになる。又、現在設定しているコネクションを管理するコネクション管理テーブルも持つ。これは図４のような形を採る。
【００３０】
オンデマンド・サービスサーバ１０５には、各映像サーバがサービス可能なコンテンツ（映像データ）を管理するテーブルを持つ。本実施の形態では、図５に示す内容であるとする。この他にもコンテンツの題名や再生時間等の付加情報も持たせ、クライアント端末においてユーザ再生コンテンツ選択時に提供する等の機能が考えられるが、ここでは簡単化のため省略する。
【００３１】
次に、コンテンツ再生時の動作について説明する。
【００３２】
クライアント端末１０３−１がコンテンツＡの再生要求する場合、
（１）クライアント端末１０３−１からイーサネット１０４を介してオンデマンド・サービスサーバ１０５にコンテンツＡの再生要求が送られる。
【００３３】
（２）再生要求を受け取ったオンデマンド・サービスサーバ１０５は、図５のコンテンツ管理テーブルを検索し、コンテンツＡが映像サーバ１０２−１に記憶されていることを知る。
【００３４】
（３）オンデマンド・サービスサーバ１０５は、イーサネット１０４を介してコネクション設定管理サーバ１０６に対して、映像サーバ１０２−１からクライアント端末１０３−１へのコネクションの設定要求を送信する。
【００３５】
（４）コネクション設定要求を受け取ったコネクション設定管理サーバ１０６は、図４の接続情報管理テーブルを検索し、映像サーバ１０２−１はＡＴＭ−ＨＵＢ装置１０１−１のポート１に接続され、クライアント端末１０３−１はＡＴＭ−ＨＵＢ装置１０１−１のポート２に接続されていることを知る。
【００３６】
（５）コネクション設定管理サーバ１０６は、ＡＴＭ−ＨＵＢ装置１０１−１に対してポート１からポート２へのコネクションを設定するように、イーサネット１０４とコネクション設定Ｉ／Ｆを介して要求する。このとき、割り当てたＶＰＩ／ＶＣＩの値をポート１ではＶＰＩ１／ＶＣＩ１、ポート２ではＶＯＩ２／ＶＣＩ２とすると、コネクション管理テーブルには図６の項目が登録される。
【００３７】
（６）ＡＴＭ−ＨＵＢ装置１０１−１は、コネクション設定要求に従ってポート１からポート２へのＡＴＭコネクション５０７を設定する（図７）。
【００３８】
（７）コネクションの設定終了が確認されると、コネクション設定管理サーバ１０６は、オンデマンド・サービスサーバ１０５に対して、イーサネット１０４を介して設定したコネクションの情報（映像サーバ側ポートのＶＰＩ／ＶＣＩ値及びクライアント端末側ポートのＶＰＩ／ＶＣＩ値）を通知する。
【００３９】
（８）オンデマンド・サービスサーバ１０５は、コネクション設定終了の通知を受け取ると、そのコネクション情報を基にクライアント端末１０３−１にはイーサネット１０４を介して受信ＶＰＩ／ＶＣＩ値（ＶＰＩ２／ＶＣＩ２）を通知し、映像サーバ１０２−１にはコンテンツＡを送信ＶＰＩ／ＶＣＩ値（ＶＰＩ１／ＶＣＩ１）で送信するようにイーサネット１０４を介して指示する。
【００４０】
（９）コンテンツＡの再生指示を受け取った映像サーバ１０２−１は、指示されたＶＰＩ／ＶＣＩ値（ＶＰＩ１／ＶＣＩ１）でコンテンツＡの映像データをＡＴＭ  Ｉ／Ｆから送信を開始する。
【００４１】
（１０）送信された映像データは、ＡＴＭ−ＨＵＢ装置１０１−１内に設定されているコネクション５０７によってクライアント端末１０３−１のＡＴＭ  Ｉ／Ｆに届けられる。
【００４２】
（１１）映像データの送信の終了若しくはクライアント端末からの再生終了要求が行われると、クライアント端末からその旨がイーサネット１０４を介してオンデマンド・サービスサーバ１０５に通知される。
【００４３】
（１２）オンデマンド・サービスサーバ１０５は、コネクション設定管理サーバ１０６に対して、該当コネクションの解除の要求をイーサネット１０４を介して送信する。又、映像サーバ１０２−１に対しても、イーサネット１０４を介して映像データの送信の終了を指示する。
【００４４】
（１３）コネクション設定管理サーバ１０６は、該当コネクションをコネクション管理テーブルから検索し、その結果からＡＴＭ−ＨＵＢ装置１０１−１に対して、イーサネット１０４とコネクション設定Ｉ／Ｆを介してコネクションの解除指示を行う。同時にコネクション管理テーブルから解除したコネクションを抹消する。
【００４５】
こうして、クライアント端末からの再生要求に対してダイナミックなコネクションの設定・解除が実現される。
【００４６】
次に、２台のＡＴＭ−ＨＵＢ装置を介したコネクションを設定する場合についても説明する。
【００４７】
クライアント端末１０３−２がコンテンツＢの再生を要求した場合、
（１）クライアント端末１０３−２からイーサネット１０４を介してオンデマンド・サービスサーバ１０５にコンテンツＢの再生要求が送られる。
【００４８】
（２）再生要求を受け取ったオンデマンド・サービスサーバ１０５は、図５のコンテンツ管理テーブルを検索し、コンテンツＢが映像サーバ１０２−１に記憶されていることを知る。
【００４９】
（３）オンデマンド・サービスサーバ１０５は、イーサネット１０４を介してコネクション設定管理サーバ１０６に対して映像サーバ１０２−１からクライアント端末１０３−２へのコネクションの設定要求を送信する。
【００５０】
（４）コネクション設定要求を受け取ったコネクション設定管理サーバ１０６は、図４の接続情報管理テーブルを検索し、映像サーバ１０２−１はＡＴＭ−ＨＵＢ装置１０１−１のポート１に接続され、クライアント端末１０３−２はＡＴＭ−ＨＵＢ装置１０１−２のポート２に接続されていることを知る。
【００５１】
（５）この場合、映像サーバとクライアント端末の接続されているＡＴＭ−ＨＵＢ装置が異なるため、更にＡＴＭ−ＨＵＢ装置間の接続情報を検索して、ＡＴＭ−ＨＵＢ装置１０１−１のポート３とＡＴＭ−ＨＵＢ装置１０１−２のポート３が接続されていることを知る。
【００５２】
（６）コネクション設定管理サーバ１０６は、ＡＴＭ−ＨＵＢ装置１０１−１に対してポート１からポート２へのコネクションの設定をするように、イーサネット１０４とコネクション設定Ｉ／Ｆを介して要求し、ＡＴＭ−ＨＵＢ装置１０１−２に対してポート３からポート２へのコネクションを設定するように、イーサネット１０４とコネクション設定Ｉ／Ｆを介して要求する。このとき、ＡＴＭ−ＨＵＢ装置間を接続する部分のＶＰＩ／ＶＣＩは共通の値を割り当てる必要がある。ここで、ＡＴＭ−ＨＵＢ装置１０１−１のポート１に割り当てた値をＶＰＩ３／ＶＣＩ３、ＡＴＭ−ＨＵＢ装置１０１−１のポート３及びＡＴＭ−ＨＵＢ装置１０１−２のポート３に割り当てた値をＶＰＩ４／ＶＣＩ４、ＡＴＭ−ＨＵＢ装置１０１−２のポート２に割り当てた値をＶＰＩ５／ＶＣＩ５とすると、コネクション管理テーブルには図８の項目が登録される。
【００５３】
（７）ＡＴＭ−ＨＵＢ装置１０１−１は、コネクション設定要求に従ってポート１からポート３へのＡＴＭコネクション９０８を設定し、ＡＴＭ−ＨＵＢ装置１０１−２は、コネクション設定要求に従ってポート３からポート２へのＡＴＭコネクション９０９を設定する（図９）。
【００５４】
（８）コネクションの設定終了が確認されると、コネクション設定管理サーバ１０６はオンデマンド・サービスサーバ１０５に対して、イーサネット１０４を介して、設定したコネクションの情報を通知する。
【００５５】
（９）オンデマンド・サービスサーバ１０５は、コネクション設定終了の通知を受け取ると、そのコネクション情報を基にクライアント端末１０３−２にはイーサネット１０４を介して受信ＶＰＩ／ＶＣＩ値（ＶＰＩ５／ＶＣＩ５）を通知し、映像サーバ１０２−１にはコンテンツＢを送信ＶＰＩ／ＶＣＩ値（ＶＰＩ３／ＶＣＩ３）で送信するようにイーサネット１０４を介して指示する。
【００５６】
（１０）コンテンツＢの再生指示を受け取った映像サーバ１０２−１は、指示されたＶＰＩ／ＶＣＩ値（ＶＰＩ３／ＶＣＩ３）でコンテンツＢの映像データをＡＴＭ  Ｉ／Ｆから送信を開始する。
【００５７】
（１１）送信された映像データは、ＡＴＭ−ＨＵＢ装置１０１−１内に設定されているコネクション９０８によってＡＴＭ−ＨＵＢ装置１０１−２のポート３に到着し、更にＡＴＭ−ＨＵＢ装置１０１−２内に設定されているコネクション９０９によってクライアント端末１０３−２のＡＴＭ  Ｉ／Ｆに届けられる。
【００５８】
（１２）映像データの送信の終了若しくはクライアント端末からの再生終了要求が行われると、クライアント端末から、その旨がイーサネット１０４を介してオンデマンド・サービスサーバ１０５に通知される。
【００５９】
（１３）オンデマンド・サービスサーバ１０５は、コネクション設定管理サーバ１０６に対して、該当コネクションの解除の要求をイーサネット１０４を介して送信する。又、映像サーバ１０２−１に対しても、イーサネット１０４を介して映像データの送信の終了を指示する。
【００６０】
（１４）コネクション設定管理サーバ１０６は、該当コネクションをコネクション管理テーブルから検索し、その結果からＡＴＭ−ＨＵＢ装置１０１−１及びＡＴＭ−ＨＵＢ装置１０１−２に対して、イーサネット１０４とコネクション設定Ｉ／Ｆを介してコネクションの解除指示を行う。同時にコネクション管理テーブルから解除したコネクションを抹消する。
【００６１】
このように、複数のＡＴＭ−ＨＵＢ装置に跨ったコネクションもダイナミックに設定・解除することが可能になる。
【００６２】
従って、システムの運用開始時の人手による準備作業としては、システム構成に従ってコネクション設定管理サーバ上の接続情報管理テーブルを入力するだけで良く、システム構成の変更時も、この接続情報管理テーブルの該当部分を変更するだけで良い。
【００６３】
又、本実施の形態では、オンデマンド・サービスサーバとコネクション設定管理サーバを異なる装置として説明しているが、実際の運用時には同一装置内にその機能を実現することも十分考えられる。
【００６４】
＜実施の形態２＞
次に、本発明の実施の形態２について説明する。
【００６５】
オンデマンドのサービスとして、リアルタイムに撮影されているカメラの動画像を配信するというサービスも考えられる。
【００６６】
図１１は本実施の形態の構成を表す図である。ＡＴＭ−ＨＵＢ装置１台（１１１）、カメラサーバ１台（１１２）、クライアント端末２台（１１３−１，１１３−２）、他にイーサネット１１４、オンデマンド・サービスサーバ１１５、コネクション設定管理サーバ１１６のシステム構成である。
【００６７】
カメラサーバ１１２は、配信要求に従って接続されたカメラで撮影中の動画像をエンコードし、ＡＴＭ  Ｉ／Ｆで映像データを配信する機能を有する。
【００６８】
オンデマンド・サービスサーバ１１５は、クライアント端末からの映像観測要求を受け付けて、カメラサーバ１１２に対して配信開始等を指示する機能、コネクション設定管理サーバ１１６に対してＡＴＭ−ＨＵＢ装置へのコネクション設定・解除の要求を行う機能を有する。
【００６９】
コネクション設定管理サーバ１１６は、オンデマンド・サービスサーバ１１５からの要求に従ってＡＴＭ−ＨＵＢ装置へのコネクション設定・解除を行う機能を有する。
【００７０】
カメラサーバ１１２は、ＡＴＭ−ＨＵＢ装置１１１のポート１に接続されており、クライアント端末１１３−１はＡＴＭ−ＨＵＢ装置１１１のポート２に、クライアント端末１１３−２はＡＴＭ−ＨＵＢ装置１１１のポート３にそれぞれ接続されている。
【００７１】
コネクション設定管理サーバ１１６には、各クライアントやサーバがＡＴＭ−ＨＵＢ装置のどこに接続されているかやＡＴＭ−ＨＵＢ装置間がどのように接続されているかといったシステムの接続情報を管理する接続情報管理テーブルを持つが、本実施の形態の場合は図１２のようになる。又、現在設定しているコネクションを管理するコネクション管理テーブルも持つが、実施の形態１と同様で図４のような形を採る。
【００７２】
オンデマンド・サービスサーバ１１５には、カメラサーバがどのクライアント端末から観測されているかを管理する観測状態管理テーブルを持つ。この他にも、カメラサーバがサービス可能な時間帯やサービス許可情報等を管理して、クライアント端末からのカメラ観測要求に制限を加えるといった機能を付加することも考えられるが、ここでは簡単化のために省略する。
【００７３】
次に、カメラの観測時の動作について説明する。
【００７４】
クライアント端末１１３−１がカメラサーバ１１２の観測を要求する場合、
（１）クライアント端末１１３−１からイーサネット１１４を介してオンデマンド・サービスサーバ１１５にカメラサーバ１１２の観測要求が送られる。
【００７５】
（２）観測要求を受け取ったオンデマンド・サービスサーバ１１５は、観測状態管理テーブルを検索し、カメラサーバ１１２は未だどのクライアント端末も観測していないことを知る。そこで、イーサネット１１４を介してコネクション設定管理サーバ１１６に対して、カメラサーバ１１２からクライアント端末１１３−１へのコネクションの設定要求を送信する。
【００７６】
（３）コネクション設定要求を受け取ったコネクション設定管理サーバ１１６は、図１２の接続管理情報を検索し、カメラサーバ１１２は、ＡＴＭ−ＨＵＢ装置１１１のポート１に接続され、クライアント端末１１３−１はＡＴＭ−ＨＵＢ装置１１１のポート２に接続されていることを知る。
【００７７】
（４）コネクション設定管理サーバ１１６は、−１はＡＴＭ−装置１１１に対してポート１からポート２へのコネクションを設定するように、イーサネット１１４とコネクション設定Ｉ／Ｆを介して要求する。このとき設定するコネクションはマルチキャスト対応のコネクションとして設定しておく。又、このとき割り当てたＶＰＩ／ＶＣＩの値をポート１ではＶＰＩ６／ＶＣＩ６、ポート２ではＶＰＩ７／ＶＣＩ７とすると、コネクション管理テーブルには図１３の項目が登録される。
【００７８】
（５）ＡＴＭ−ＨＵＢ装置１１１は、コネクション設定要求に従って、ポート１からポート２へのＡＴＭコネクション１４７を設定する（図１４）。
【００７９】
（６）コネクションの設定が確認されると、コネクション設定管理サーバ１１６は、オンデマンド・サービスサーバ１１５に対して、イーサネット１１４を介して設定したコネクションの情報を通知する。
【００８０】
（７）オンデマンド・サービスサーバ１１５は、コネクション設定終了の通知を受け取ると、そのコネクション情報を基にクライアント端末１１３−１にはイーサネット１１４を介して受信ＶＰＩ／ＶＣＩ値（ＶＰＩ７／ＶＣＩ７）を通知し、カメラサーバ１１２には映像データを送信ＶＰＩ／ＶＣＩ値（ＶＰＩ６／ＶＣＩ６）で送信するようにイーサネット１１４を介して指示する。
【００８１】
（８）映像データの送信指示を受け取ったカメラサーバ１１２は、指示されたＶＰＩ／ＶＣＩ値（ＶＰＩ６／ＶＣＩ６）でエンコードした動画像データをＡＴＭ  Ｉ／Ｆから送信開始する。
【００８２】
（９）送信された映像データは、ＡＴＭ−ＨＵＢ装置１１１内に設定されているコネクション１４７によってクライアント端末１１３−１のＡＴＭ  Ｉ／Ｆに届けられる。
【００８３】
次に、この状態からクライアント端末１１３−２がカメラサーバ１１２の観測を要求した場合について説明する。
【００８４】
（１）クライアント端末１１３−２からイーサネット１１４を介してオンデマンド・サービスサーバ１１５にカメラサーバ１１２の観測要求が送られる。
【００８５】
（２）観測要求を受け取ったオンデマンド・サービスサーバ１１５は、観測状態管理テーブルを検索し、カメラサーバ１１２が既にクライアント端末１１３−１に観測されていることを知る。そこで、イーサネット１１４を介してコネクション設定管理サーバ１１６に対して、既に設定されているカメラサーバ１１２からクライアント端末１１３−１へのコネクションに、クライアント端末１１３−２へのコネクションを追加する設定要求を送信する。
【００８６】
（３）コネクション設定要求を受け取ったコネクション設定管理サーバ１１６は、図１２の接続情報を検索し、カメラサーバ１１２はＡＴＭ−ＨＵＢ装置１１１のポート１に接続され、クライアント端末１１３−２はＡＴＭ−ＨＵＢ装置１１１のポート３に接続されていることを知る。又、コネクション管理テーブルからカメラサーバ１１２からクライアント端末１１３−１へのコネクションに割り当てられているＶＰＩ／ＶＣＩ値を知る。
【００８７】
（４）コネクション設定管理サーバ１１６は、ＡＴＭ−ＨＵＢ装置１１１に対して既存のポート１のＶＰＩ６／ＶＣＩ６からポート２のＶＰＩ７／ＶＣＩ７のコネクションに対してポート３にマルチキャストコネクションのリーフを追加するように、イーサネット１１４とコネクション設定Ｉ／Ｆを介して要求する。又、このときポート３で割り当てたＶＰＩ／ＶＣＩの値をＶＰＩ８／ＶＣＩ８とすると、コネクション管理テーブルには、図１３で示した既存のコネクションの部分が図１５に示すように変更される。
【００８８】
（５）ＡＴＭ−ＨＵＢ装置１１１は、コネクション設定要求に従って、図１４に示される既存のコネクション１４７にポート３へのリーフを追加したＡＴＭコネクション１６８を設定する（図１６）。
【００８９】
（６）コネクションの設定が確認されると、コネクション設定管理サーバ１１６は、オンデマンド・サービスサーバ１１５に対して、イーサネット１１４を介して設定したコネクションの情報を通知する。
【００９０】
（７）オンデマンド・サービスサーバ１１５は、コネクション設定終了の通知を受け取ると、そのコネクション情報を基にクライアント端末１１３−２にイーサネット１１４を介して受信ＶＰＩ／ＶＣＩ値（ＶＰＩ８／ＶＣＩ８）を通知する。
【００９１】
（８）このとき、カメラサーバから既にＶＰＩ６／ＶＣＩ６で送信されている映像データは、ＡＴＭ−ＨＵＢ装置内で変更されたコネクション１６８によって、クライアント１１３−１のＡＴＭ  Ｉ／Ｆとクライアント１１３−２のＡＴＭＩ／Ｆの両方に届けられるようになっている。
【００９２】
次に、この状態からクライアント端末１１３−１からカメラサーバ１１２の観測停止の要求があった場合について説明する。
【００９３】
（１）クライアント端末１１３−１からイーサネット１１４を介してオンデマンド・サービスサーバ１１５にカメラサーバ１１２の観測停止要求が送られる。
【００９４】
（２）オンデマンド・サービスサーバ１１５は、観測状態管理テーブルを検索し、クライアント１１３−１以外にもカメラサーバ１１２の観測を行っているクライアント端末が存在することを知る。そこで、コネクション設定管理サーバ１１６に対して、クライアント端末１１３−１に対応するマルチキャストコネクションのリーフを削除の要求をイーサネット１１４を介して送信する。
【００９５】
（３）コネクション設定管理サーバ１１６は、該当コネクションをコネクション管理テーブルから検索し、その結果からＡＴＭ−ＨＵＢ装置１１１に対して、該当するコネクションの該当するリーフを削除するように、イーサネット１１４とコネクション設定Ｉ／Ｆを介して指示する。同時にコネクション管理テーブル上のリーフを削除したコネクションに対する変更も行う。この場合は図１７に示すように変更される。
【００９６】
（４）このときのコネクションの状態は図１８に示すようになっており、クライアント１１３−２のみがカメラサーバ１１２の映像を観測していることになる。
【００９７】
更に、この状態からクライアント端末１１３−２からカメラサーバ１１２の観測停止の要求があった場合について説明する。
【００９８】
（１）クライアント端末１１３−２からイーサネット１１４を介してオンデマンド・サービスサーバ１１５にカメラサーバ１１２の観測停止要求が送られる。
【００９９】
（２）オンデマンド・サービスサーバ１１５は、観測状態管理テーブルを検索し、クライアント１１３−２のみがカメラサーバ１１２の観測を行っていることを知る。そこで、コネクション設定管理サーバに対して、該当するコネクションの削除する要求をイーサネット１１４を介して送信する。又、カメラサーバ１１２に対しては、イーサネット１１４を介して映像データの送信停止を指示する。
【０１００】
（４）コネクション設定管理サーバ１１６は、該当コネクションをコネクション管理テーブルから検索し、その結果からＡＴＭ−ＨＵＢ装置１１１に対して、該当するコネクションを削除するように、イーサネット１１４とコネクション設定Ｉ／Ｆを介して指示する。同時にコネクション管理テーブルから削除したコネクションを抹消する。
【０１０１】
このように、カメラ画像のオンデマンドによる配信に不可欠のマルチキャストコネクションのダイナミックな設定及び解除にも対応が可能である。
【０１０２】
【発明の効果】
以上の説明で明らかなように、本発明によれば、ＰＶＣ機能しか持たないＡＴＭ−ＨＵＢ装置を用いたオンデマンド・システムにおいて、制御信号の伝送にコネクションレス型通信であるイーサネットを用いることでコネクション設定管理サーバへのＰＶＣ設定が不要になり、システム規模の大きい場合や運用開始後のシステム構成の変更にも柔軟且つ容易に対応できることになる。
【図面の簡単な説明】
【図１】本発明の構成を示す図である。
【図２】本発明の実施の形態１においてシステム全体の構成を示す図である。
【図３】本発明の実施の形態１においてコネクション設定管理サーバの持つシステム接続情報を示すす図である。
【図４】本発明の実施の形態においてコネクション設定管理サーバの持つコネクション管理情報を示す図である。
【図５】本発明の実施の形態１においてオンデマンド・サービスサーバの持つ映像コンテンツ管理情報を示す図である。
【図６】本発明の実施の形態１においてコネクション設定管理サーバが登録するコネクション管理情報を示す図である。
【図７】本発明の実施の形態１において再生要求時に設定されたＡＴＭ  コネクションの一例を示す図である。
【図８】本発明の実施の形態１においてコネクション設定管理サーバが登録するコネクション管理情報を示す図である。
【図９】本発明の実施の形態１において再生要求時に設定されたＡＴＭコネクションの一例を示す図である。
【図１０】従来のシステム構成を示す図である。
【図１１】本発明の実施の形態２においてシステム全体の構成を示す図である。
【図１２】本発明の実施の形態２においてコネクション設定管理サーバの持つシステム接続情報を示す図である。
【図１３】本発明の実施の形態２においてコネクション設定管理サーバが登録するコネクション管理情報をを示図である。
【図１４】本発明の実施の形態２において設定されたＡＴＭコネクションの一例を示す図である。
【図１５】本発明の実施の形態２においてコネクション設定管理サーバが登録するコネクション管理情報を示す図である。
【図１６】本発明の実施の形態２において設定されたＡＴＭ  コネクションの一例を示す図である。
【図１７】本発明の実施の形態２においてコネクション設定管理サーバが登録するコネクション管理情報を示す図である。
【図１８】本発明の実施の形態２において設定されたＡＴＭ  コネクションの一例を示す図である。
【符号の説明】
１０１，１０１−１，１０１−２，１１１  ＡＴＭ−ＨＵＢ装置
１０２−１０２−１，１０２−２      映像サーバ
１１２        カメラサーバ
１０３，１０３−１，１０３−２      クライアント端末
１０４，１１４    イーサネット
１０５，１１５    オンデマンド・サービスサーバ
１０６，１１６    コネクション設定管理サーバ
５０７，９０８，９９９，１４７，１６８，１８９  ＡＴＭコネクション
【図１】
2004159060.tif 000003
【図２】
2004159060.tif 000004
【図３】
2004159060.tif 000005
【図４】
2004159060.tif 000006
【図５】
2004159060.tif 000007
【図６】
2004159060.tif 000008
【図７】
2004159060.tif 000009
【図８】
2004159060.tif 000010
【図９】
2004159060.tif 000011
【図１０】
2004159060.tif 000012
【図１１】
2004159060.tif 000013
【図１２】
2004159060.tif 000014
【図１３】
2004159060.tif 000015
【図１４】
2004159060.tif 000016
【図１５】
2004159060.tif 000017
【図１６】
2004159060.tif 000018
【図１７】
2004159060.tif 000019
【図１８】
2004159060.tif 000020